(57)【要約】【課題】クリップを袋の外部に露出させることなく、また、商品のクリップを係止する部材を別途用意せずともクリップ付の商品を収容することができ、しかも製袋作業が簡便でコスト面でも有利なクリップ付商品用包装袋を提供する。【解決手段】包装袋１は、商品Ｐの包装時に少なくともクリップＣの前面が外部から透視可能とされた前面シート２と、背面シート３と、剛性を有する芯部５を長手方向に沿って有し、商品Ｐが包装される際にクリップＣが掛止されるクリップ掛止帯４と、を少なくとも備える。そして、両シートの側縁部同士及び底縁部同士が溶着されて袋本体１０が形成され、クリップ掛止帯４の両端部４１、４２が両シートの側縁部に溶着されることで袋本体１０内にクリップ掛止帯４が設けられるとともに、芯部５が両シートに仮止めされ、袋本体１０内に商品Ｐが挿入されることで仮止めが解除される。【選択図】図２
2020138736.tif 000002
【特許請求の範囲】
【請求項１】
クリップを備えた棒状の商品の包装に用いられる包装袋であって、
前記商品の包装時に少なくとも前記クリップの前面が外部から透視可能とされた前面シートと、
背面シートと、
剛性を有する芯部を長手方向に沿って有し、前記商品が包装される際に前記クリップが掛止されるクリップ掛止帯と、を少なくとも備え、
前記両シートの側縁部同士及び底縁部同士が溶着されて袋本体が形成され、
前記クリップ掛止帯の長手方向両端部が前記両シートの側縁部に溶着されることで前記袋本体内に前記クリップ掛止帯が設けられるとともに、前記芯部が前記両シートに仮止めされ、  
前記袋本体内に前記商品が挿入されることで前記仮止めが解除されることを特徴とするクリップ付商品用包装袋。
【請求項２】
請求項１に記載のクリップ付商品用包装袋であって、
前記クリップ掛止帯がチャックテープからなることを特徴とするクリップ付商品用包装袋。
【請求項３】
請求項１又は２に記載のクリップ付商品用包装袋の製造方法であって、
前記前面シートの側縁部同士が隣接するように連続した前面シート連続体と、前記クリップ掛止帯の長手方向端部同士が隣接するように連続したクリップ掛止帯連続体と、前記背面シートの側縁部同士が隣接するように連続した背面シート連続体と、をこの順で積層するように繰り出す工程と、
繰り出されたこれらの連続体を密着させる方向に圧力を加え、前記芯部と前記両シート連続体とを圧着することで、前記芯部を介して前記クリップ掛止帯連続体と前記両シート連続体とを仮止めする工程と、
仮止めしたこれらの連続体を所定の幅で溶断することにより、前記前面シートの側縁部と前記背面シートの側縁部と前記クリップ掛止帯の両端部とが溶着された包装袋を連続的に得る工程と、
を含むことを特徴とするクリップ付商品用包装袋の製造方法。
【発明の詳細な説明】
【技術分野】
【０００１】
本発明は、クリップを備えた棒状の商品、例えば、ボールペンや万年筆といったクリップ付の筆記具、ペンライトやレーザーポインタといったクリップ付の光学器具、ペン型ボイスレコーダやペン型メモリといったクリップ付の小型電子機器など、を包装するのに適した包装袋に関する。
【背景技術】
【０００２】
上記したようなクリップ付商品、なかでも筆記具の多くはヘッダー付の透明シートからなる包装袋に入れられて店頭に吊下状態で展示、販売されている。筆記具では、クリップの前面に商品名や品番等が表示されているものが多く、販売者側としてはクリップの前面が包装袋の外から常に見えるようにして消費者に訴求できる状態で展示したいところである。しかしながら、筆記具は包装袋の中で軸周りに自由に回ることができることから、クリップは好き勝手な方向を向くことになるため、上記したような販売者の要求は満たされ難い。
【０００３】
そこで従来、クリップ付商品を、そのクリップの前面が常に包装袋の正面を向くようにして包装することのできる包装袋が種々提案されている。
【０００４】
例えば、特許文献１には、袋体に収納した商品のクリップを商品挿出口から挿出させて、クリップにより挿出口の下側開口縁を挟持させることにより、商品が袋体の内部で遊動することなく固定され安定するようにした包装袋が開示されている。
【０００５】
また、特許文献２には、ヘッダーシートの吊下孔の下方にクリップ挿通孔を設け、この挿通孔に商品のクリップを挿通して固定し、吊下孔を利用して吊下展示することにより、商品のクリップを露出した状態で常に正面に向くようにしたクリップ付筆記具吊下具が開示されている。
【０００６】
また、特許文献３には、袋体の一方の袋膜を袋口より上方に突出させた突出片の該袋口より上部に所定幅の補強基板を設けることによって当該部分に吊下部が形成され、該吊下部の補強基板には切り込みを形成してフック状の掛止片が切起し可能に設けられ、更に該掛止片の下方に位置する前記補強基板と突出片とが溶着され、少なくとも当該部分に溶着による補強接合部を形成することで、掛止片にクリップを掛け止めることにより商品全体が袋の内部を横滑りすることがなく安定した状態で収納することができる吊下用包装袋が開示されている。
【０００７】
さらに、特許文献４には、筆記具のクリップの脚部に対して嵌め込み係止させる透孔を備えた剛性を有する薄板状の補助具本体を袋体とは別体として備え、その補助具本体に筆記具がクリップを透孔に嵌め込み係止させた状態でセットされ、その状態で筆記具と補助具本体とが一緒に包装袋内に収納されることにより、筆記具が回ったり、傾いたり、移動するといった遊びがない不動の状態で包装袋内に収納保持される包装用補助具付筆記具用包装袋が開示されている。
【先行技術文献】
【特許文献】
【０００８】
【特許文献１】実公平７−２３４０７号公報
【特許文献２】特開２００６−２７６１５号公報
【特許文献３】特許第３２２８７０７号公報
【特許文献４】特許第３９８６１４０号公報
【発明の概要】
【発明が解決しようとする課題】
【０００９】
上記した従来の包装袋は、いずれもクリップ付商品をそのクリップの前面が常に包装袋の正面を向くようにして包装することができるものである。
【００１０】
しかしながら、特許文献１と２にそれぞれ開示された包装袋にあっては、クリップが包装袋の外部に常に露出してしまうため、運搬や展示中にクリップが汚損あるいは破損する虞がある。
【００１１】
一方、特許文献３と４にそれぞれ開示された包装袋にあっては、特許文献１や２の包装袋とは異なり、クリップは包装袋内に収容されるため、クリップの汚損や破損の虞がないものの、クリップを係止させるための部材を包装袋とは別途用意する必要があるため、その分材料コストが嵩むとともに、製袋作業が煩瑣なものとなる。
【００１２】
本発明は、上記の課題を解決するためになされたものであり、本発明の目的は、クリップを袋の外部に露出させることなく、また、商品のクリップを係止するための部材を別途用意せずともクリップ付の商品を収容することができ、しかも製袋作業が簡便でコスト面でも有利なクリップ付商品用包装袋を提供することである。
【課題を解決するための手段】
【００１３】
本発明によるクリップ付商品用包装袋は、前記商品の包装時に少なくとも前記クリップの前面が外部から透視可能とされた前面シートと、背面シートと、剛性を有する芯部を長手方向に沿って有し、前記商品が包装される際に前記クリップが掛止されるクリップ掛止帯と、を少なくとも備えたものである。そして、前記両シートの側縁部同士及び底縁部同士が溶着されて袋本体が形成され、前記クリップ掛止帯の長手方向両端部が前記両シートの側縁部に溶着されることで前記袋本体内に前記クリップ掛止帯が設けられるとともに、前記芯部が前記両シートに仮止めされ、前記袋本体内に前記商品が挿入されることで前記仮止めが解除されるものである。
【００１４】
上記の本発明によれば、クリップは袋本体内に収まるので、クリップが袋の外部に露出することがない。したがって、クリップが運搬や展示中などに汚損したり破損したりすることが防止できる。
【００１５】
また、前面シートと、背面シートと、クリップ掛止帯とを溶着させるだけで、クリップ付商品をそのクリップの前面が常に包装袋の正面を向くようにして包装することができる包装袋を形成できる。しかも、特許文献３や４のようなクリップを係止させるための部材も不要である。したがって、製袋作業が簡便でコスト面でも有利である。
【００１６】
上記のクリップ付商品用包装袋にあっては、さらに、前記クリップ掛止帯がチャックテープからなっていてもよい。
【００１７】
この場合、包装袋の封緘部材として広く利用されているチャックテープを流用することで、剛性を有する芯部を長手方向に沿って有するクリップ掛止帯を新規に製造する必要がない。したがって、コスト面でさらに有利である。
【００１８】
また、本発明によるクリップ付商品用包装袋の製造方法は、前記前面シートの側縁部同士が隣接するように連続した前面シート連続体と、前記クリップ掛止帯の長手方向端部同士が隣接するように連続したクリップ掛止帯連続体と、前記背面シートの側縁部同士が隣接するように連続した背面シート連続体と、をこの順で積層するように繰り出す工程と、繰り出されたこれらの連続体を密着させる方向に圧力を加え、前記芯部と前記両シート連続体とを圧着することで、前記芯部を介して前記クリップ掛止帯連続体と前記両シート連続体とを仮止めする工程と、仮止めしたこれらの連続体を所定の幅で溶断することにより、前記前面シートの側縁部と前記背面シートの側縁部と前記クリップ掛止帯の両端部とが溶着された包装袋を連続的に得る工程と、を含むものである。
【００１９】
上記の製造方法に係る本発明によれば、前記クリップ掛止帯連続体と前記両シート連続体とが仮止めされることで、該クリップ掛止帯連続体が製造過程において所望の位置からずれることがない。したがって、上記の本発明によるクリップ付商品用包装袋を効率よく製造することができ、コスト面に優れる。
【発明の効果】
【００２０】
本発明によれば、クリップを袋の外部に露出させることなく、また、商品のクリップを係止する部材を別途用意せずともクリップ付の商品を収容することができ、しかも製袋作業が簡便でコスト面でも有利なクリップ付商品用包装袋を提供することができる。
【図面の簡単な説明】
【００２１】
【図１】本発明の一実施形態におけるクリップ付商品用包装袋を示す正面図である。
【図２】図１のクリップ付商品用包装袋の商品収納状態における正面図である。
【図３】図２のＩＩ−ＩＩ線に沿いクリップ付商品用包装袋のみを切断して示す断面図である。
【図４】図１のクリップ付商品用包装袋におけるクリップ掛止帯の断面図である。
【図５】図１のクリップ付商品用包装袋の製造工程の概略を示す正面図である。
【図６】図１のクリップ付商品用包装袋の製造過程において前面シート連続体とクリップ掛止帯連続体と背面シート連続体とが積層された状態を示す正面図である。
【発明を実施するための形態】
【００２２】
以下、本発明の実施の形態について図を参照して説明する。
【００２３】
図１は、本発明の一実施形態におけるクリップ付商品用包装袋１を示す正面図、図２は、クリップ付商品用包装袋１の商品Ｐ収納状態における正面図、図３は、図２のＩＩ−ＩＩ線に沿いクリップ付商品用包装袋１のみを切断して示す断面図、図４は、クリップ付商品用包装袋１におけるクリップ掛止帯４の断面図、図５は、クリップ付商品用包装袋１の製造工程の概略を示す正面図、図６は、クリップ付商品用包装袋１の製造過程において前面シート連続体（長尺シート２０）とクリップ掛止帯連続体（長尺クリップ掛止帯４０）と背面シート連続体（長尺シート３０）とが積層された状態を示す正面図である。
【００２４】
このクリップ付商品用包装袋１（以下において、包装袋１と略記する場合もある。）は、クリップＣを備えた棒状の商品Ｐの包装に用いられる包装袋である。ここでクリップを備えた棒状の商品としては、例えば、ボールペンや万年筆といったクリップ付の筆記具、ペンライトやレーザーポインタといったクリップ付の光学器具、ペン型ボイスレコーダやペン型メモリといったクリップ付の小型電子機器などが例示できる。以下、本実施の形態では、包装対象の商品としてクリップ付の筆記具（図示例はボールペン）を例に採って説明する。
【００２５】
クリップ付商品用包装袋１は、図１、図２及び図３に示すように、前面シート２と、背面シート３と、クリップ掛止帯４とを含むものである。
【００２６】
前面シート２及び背面シート３は、例えば長尺の原反シートから裁断されたものである。前面シート２の原反シートとしては、包装した商品Ｐが外部から透視できるよう透明なフイルムが好ましい。なお、商品Ｐの包装時に少なくともクリップＣの前面が外部から透視可能であればよいので、前面シート２のクリップＣに対応する箇所以外の領域は、商品名、商品情報、キャッチコピー、図柄などを任意に施すことで不透明となってもよい。
【００２７】
背面シート３の表面（包装袋１の背面）には、例えば、商品名、商品の使用法、商品の使用に際しての注意、製造者などの情報を表す文字や図柄が印刷される。一方、この背面シート３の裏面（包装袋１の内側の面）には、例えば、商品の見栄えをよくするためのデザインが施される。前面シート２が透明であると、この背面シート３の裏面に施されたデザインを包装袋１の正面側から見せることができる。
【００２８】
前面シート２及び背面シート３の材料としては、従来からこの種の包装袋に多用されている周知の合成樹脂フイルム、例えば、高密度又は低密度のポリエチレンフイルム、延伸又は無延伸のポリプロピレンフイルム、ポリオレフィン系樹脂やポリスチレン系樹脂、ポリエステル、ナイロン、ビニロンといった合成樹脂フイルムが挙げられる。
【００２９】
前面シート２及び背面シート３の側縁部同士と底縁部同士はそれぞれ溶着されて、側縁溶着部６１、６２及び底縁溶着部６３が設けられている。これにより、袋本体１０が形成され、この袋本体１０に商品Ｐを挿入することで、商品Ｐを包装することができる。
【００３０】
クリップ掛止帯４は図１、図２及び図３に示すように、前面シート２と背面シート３との間に設けられ、クリップ掛止帯４の両端部４１、４２が前記側縁溶着部６１、６２においてそれぞれ溶着されている。
【００３１】
これにより、クリップＣがクリップ掛止帯４によって掛止されるように商品Ｐを包装袋１に挿入することで、クリップＣがクリップ掛止帯４によって掛止された状態で商品Ｐを包装することができる。
【００３２】
クリップ掛止帯４は、図１から図４に示すように、その長手方向に沿って剛性を有する芯部５を有する。これにより、クリップ掛止帯４はどの方向に対しても大きく撓むことがない。よって、クリップＣをクリップ掛止帯４に掛止させた状態において、商品Ｐは袋本体１０内で軸周りに回転することがなく、換言すると、クリップＣの前面が袋本体１０内で揺れ動くことがない。したがって、クリップＣの前面が前面シート２に臨むようにクリップＣをクリップ掛止帯４に掛止させることで、商品Ｐは、クリップＣの前面が前面シート２に常に臨んだ姿勢で袋本体１０内に包装されることになる。
【００３３】
また、後述する包装袋１の製造工程上の理由から、芯部５は前面シート２及び背面シート３に仮止めされている。袋本体１０内に商品Ｐが挿入されると、この仮止めに商品Ｐの先端やクリップＣの先端が突き当たることになる。突き当たった際に加わる外力によってこの仮止めが解除され、商品Ｐは袋本体１０内に包装されることになる。
【００３４】
クリップ掛止帯４は、剛性を有する芯部を有していれば特に限定されないが、図４に示すように、本実施の形態ではチャックテープからなる。チャックテープは封緘部材５１及び５２を有しているため、それが剛性を有する芯部５として機能する。このようにチャックテープをクリップ掛止帯４として用いることで、剛性を有する芯部を有するクリップ掛止帯を新規に製造する必要がなく、コスト面で有利となる。
【００３５】
以上のように、本実施の形態では、クリップＣは袋本体１０内に収まるので、クリップが袋の外部に露出することがない。したがって、クリップが運搬や展示中などに汚損したり破損したりすることが防止できる。また、前面シート２と、背面シート３と、クリップ掛止帯４とを溶着させるだけで包装袋１を形成でき、製袋作業が簡便でコスト面でも有利である。
【００３６】
クリップ付商品用包装袋１の製造方法は、図５に示すように、長尺シート２０と、長尺シート３０と、長尺クリップ掛止帯４０とを積層するように繰り出す工程と、ローラー９０によって積層したシートに圧力を加える工程と、積層したシートを所定の幅で溶断することにより包装袋１を連続的に得る工程とを含む。
【００３７】
積層したシートを所定の幅で溶断すると、長尺シート２０は包装袋１における前面シート２となり、長尺シート３０は包装袋１における背面シート３となり、長尺クリップ掛止帯４０は包装袋１におけるクリップ掛止帯４となる。そして溶断の際には、前面シート２の側縁部と背面シート３の側縁部とクリップ掛止帯４の端部４１、４２とが溶着され、側縁溶着部６１、６２が形成される。これにより包装袋１を連続的に得ることができる。
【００３８】
クリップ掛止帯４は芯部５が図４に示すように膨らんでいることから、上記圧力によって長尺クリップ掛止帯４０は長尺芯部５０を介して長尺シート２０及び長尺シート３０と圧着される。これにより、図６に示すように、長尺クリップ掛止帯４０を長尺シート２０及び３０の長手方向に沿うように固定することができ、長尺クリップ掛止帯４０が所望の位置からずれる、つまり長尺クリップ掛止帯４０が長尺シート２０，３０の送り方向に対して斜めに歪んだり蛇行したりすることがない。よって、クリップ付商品用包装袋１を効率よく製造することができる。
【００３９】
またこの圧着は、長尺芯部５０を介して圧着されていることから圧着面積が狭く、仮止めとして機能する。具体的には、上記したとおり、包装袋１に商品Ｐが挿入されることで、商品Ｐの先端とクリップＣの先端により芯部５におけるこの圧着は容易に解除される。
【００４０】
なお、今回開示した実施形態は、すべての点で例示であって、限定的な解釈の根拠となるものではない。したがって、本発明の技術的範囲は、上記した実施形態のみによって解釈されるものではなく、請求の範囲の記載に基づいて画定される。また、本発明の技術的範囲には、請求の範囲と均等の意味および範囲内でのすべての変更が含まれる。
【００４１】
たとえば、本実施形態では、１個の商品を包装する場合について示したが、これに限らず、２個以上の商品をまとめて包装するようにしてもよい。その場合、包装袋を商品の数に応じた幅寸法のものとすればよい。
【００４２】
また、図１から図４において、包装袋１の吊下用の孔９を有するヘッダー部８や、封緘部材としてのチャックテープ部７が示されているが、本発明に係る包装袋のヘッダー部の形状や封緘手段は特にこれに限定されず、たとえば、粘着及び剥離自在な粘着剤層が設けられた封緘用シートによって封緘される包装袋であってもよい。
【００４３】
また、本実施形態では、商品としてクリップ付の筆記具を包装する場合について説明したが、本発明の包装袋は、その他の種類の商品、例えばペンライトやレーザーポインタといったクリップ付の光学器具、ペン型ボイスレコーダやペン型メモリといったクリップ付の小型電子機器などを包装するものであってもよい。
【産業上の利用可能性】
【００４４】
本発明は、クリップを袋の外部に露出させることなく、また、商品のクリップを係止する部材を別途用意せずともクリップ付の商品を収容することができ、しかも製袋作業が簡便でコスト面でも有利なクリップ付商品用包装袋として利用可能である。
【符号の説明】
【００４５】
１    クリップ付商品用包装袋
１０  袋本体
２    前面シート
２０  長尺シート
２００  長尺シートのロール
３    背面シート
３０  長尺シート
３００  長尺シートのロール
４    クリップ掛止帯
４０  長尺クリップ掛止帯
４００  長尺クリップ掛止帯のロール
４１  端部
４２  端部
５    芯部
５０  長尺芯部
５１  封緘部材
５２  封緘部材
６１  側縁溶着部
６２  側縁溶着部
６３  底縁溶着部
７    チャックテープ
８    ヘッダー部
８０  長尺ヘッダー部
９    吊下用の孔
９０  ローラー
９１  シーラー
Ｃ    クリップ
Ｐ    商品
【図１】
2020138736.tif 000003
【図２】
2020138736.tif 000004
【図３】
2020138736.tif 000005
【図４】
2020138736.tif 000006
【図５】
2020138736.tif 000007
【図６】
2020138736.tif 000008